(57)【特許請求の範囲】
【請求項１】
盗難防止装置が動作中であるときに点滅し且つメータに設けた動作表示灯と、
この動作表示灯が発射する光線を受けて拡散光に変換する機能を有し且つ周囲から見易い所に設けた車両部品と、からなる盗難防止装置の動作表示手段。
【請求項２】
前記車両部品は、自動二輪車のフロントブレーキ用作動油を透明若しくは半透明の容器に溜めるリザーバタンクであり且つハンドル或いはハンドル近傍に取付けることで、ハンドルロック時に動作表示灯が発射した光線上に位置させるリザーバタンクであることを特徴とする請求項１記載の盗難防止装置の動作表示手段。
【請求項３】
前記車両部品は、前記メータの前を囲う透明なメータバイザー若しくはスクリーンであることを特徴とする請求項１記載の盗難防止装置の動作表示手段。
【請求項４】
盗難防止装置が動作中であるときに点滅し、且つメータに設けた動作表示灯と、この動作表示灯が発射する光線を反射させる反射面を備え、周囲から見やすいところに設けた車両部品とからなることを特徴とする盗難防止装置の動作表示手段。
【請求項５】
前記車両部品は、自動二輪車のハンドル或いはハンドル近傍に取り付けたフロントブレーキ用作動油を溜めるリザーバタンクであり、前記リザーバタンクに設けた前記反射面をハンドルロック時に動作表示灯が発射した光線上に位置させたことを特徴とする請求項４記載の盗難防止装置の動作表示手段。
【請求項６】
前記反射面は金属ブラケットであることを特徴とする請求項５記載の盗難防止装置の動作表示手段。
【請求項７】
前記ハンドル前方にスクリーンを設け、反射光をスクリーンに向けて反射させたことを特徴とする請求項４記載の盗難防止装置の動作表示手段。
【発明の詳細な説明】
【０００１】
【発明の属する技術分野】
本発明は車両、特に自動二輪車に好適な盗難防止装置の動作表示手段に関する。
【０００２】
【従来の技術】
自動車の盗難防止装置には、例えば特開平７−１７３５９号公報「セキュリティコントローラ」に記載のセキュリティシステムが提案されている。このシステムは、セキュリティインジケータと称する点滅灯を備え、セキュリティシステムが動作中であれば点滅灯を点滅させることにより、そのことを周囲に周知させるというものである。
【０００３】
【発明が解決しようとする課題】
自動二輪車では構造的な制約から点滅灯の取付け位置が課題となる。すなわち、点滅灯は車体の後部に設けるとシートに座って前方を見るドライバからは見えず、盗難防止装置を動作状態にしたか否かを確認するためにドライバはいちいち大きく振り向く若しくは後に回らなければならず、面倒である。
【０００４】
点滅灯を車体の前部に設けるとドライバからは見えるが、車体後方に立った人（通行人）からは車体の影になって点滅灯が見え難い。特にフロントカウルを備えるものにおいては、車体前方に立った人（通行人）からもフロントカウルの影になる場合があり、見え難いという事象が顕著となる。
【０００５】
加えて、車体の前部若しくは後部に点滅灯を付設すると、ハーネスをそこまで引かなければならないので、コストが嵩む。
すなわち、自動二輪車に新たに点滅灯等の車両部品を設けるには通常の乗用車にはない困難さがある。
【０００６】
そこで、本発明の目的は、外部から十分に見ることができ、ドライバも容易に視認することができ、且つハーネスの付設が楽な盗難防止装置の動作表示手段を提供することにある。
【０００７】
【課題を解決するための手段】
上記目的を達成するために請求項１の盗難防止装置の動作表示手段は、盗難防止装置が動作中であるときに点滅し且つメータに設けた動作表示灯と、この動作表示灯が発射する光線を受けて拡散光に変換する機能を有し且つ周囲から見易い所に設けた車両部品と、からなることを特徴とする。
【０００８】
動作表示灯をメータに設けたので、動作表示灯をドライバーはシートに座ったままで容易に且つ確実に視認することができる。メータにはメータ照明や各種の情報を送るための複数本のハーネスが制御部から延びている。これらのハーネスに動作表示灯のためのハーネスを加えることは極めて容易である。すなわち、動作表示灯をメータに設けたので、動作表示灯のためのハーネスの付設が容易となり、そのためのコストを抑えることができる。
【０００９】
そして、動作表示灯が発射する光線を車両部品へ発射し、車両部品で拡散光に変換するようにした。この結果、車両部品は行灯（あんどん）の様に鈍く光る。
当該車両部品を、ハンドルを支えるトップブリッジより上位など周囲から見やすい位置に配置すれば、表示灯の光量を上げることなく、且つ専用の拡散部品を使うことなく、この車両部品を何処からでも容易に視認することができる。
従って、請求項１によれば外部から十分に見ることができ、ドライバも容易に視認することができ、且つハーネスの付設が楽な盗難防止装置の動作表示手段を提供することができる。
【００１０】
請求項２では、車両部品は、自動二輪車のフロントブレーキ用作動油を透明若しくは半透明の容器に溜めるリザーバタンクであり且つハンドル或いはハンドル近傍に取付けることで、ハンドルロック時に動作表示灯が発射した光線上に位置させるリザーバタンクであることを特徴とする。
【００１１】
車両部品は、既存のリザーバタンクを流用する。透明若しくは半透明のリザーバタンクは入光を拡散させる作用に富む。また、ハンドルロックが完了したときにのみリザーバタンクが光るようにしたので、ハンドルロックが未了のままで盗難防止装置を動作状態にする虞れも少なくなる。請求項２によればハンドルロックが完了していることをも確認できる。
【００１２】
請求項３では、車両部品は、メータの前を囲う透明なメータバイザー若しくはスクリーンであることを特徴とする。
【００１３】
自動二輪車では、メータの前を透明なメータバイザーで囲ったものやメータの前方にスクリーンを備えたものがある。メータバイザーへ動作表示灯が発射する光線を照射すれば、光の一部がメータバイザー若しくはスクリーン内をジグザグに反射しながらエッジに向う。この結果、メータバイザー若しくはスクリーンのエッジを鈍く光らせることができる。
【００１４】
請求項４では、盗難防止装置が動作中であるときに点滅し、且つメータに設けた動作表示灯と、この動作表示灯が発射する光線を反射させる反射面を備え、周囲から見やすいところに設けた車両部品とからなることを特徴とする。
【００１５】
請求項５では、車両部品は、自動二輪車のハンドル或いはハンドル近傍に取り付けたフロントブレーキ用作動油を溜めるリザーバタンクであり、リザーバタンクに設けた反射面をハンドルロック時に動作表示灯が発射した光線上に位置させたことを特徴とする。
【００１６】
反射面を、既存のリザーバタンクで形成でき、コスト安でコンパクトとなる。加えて、ハンドルロックが完了していることも確認することができる。
【００１７】
請求項６では、反射面は金属ブラケットであることを特徴とする。
請求項７では、前記ハンドル前方にスクリーンを設け、反射光をスクリーンに向けて反射させたことを特徴とする。
【００１８】
【発明の実施の形態】
本発明の実施の形態を添付図に基づいて以下に説明する。なお、図面は符号の向きに見るものとする。
図１は本発明に係る盗難防止装置の動作表示手段を備えた自動二輪車の斜視図であり、自動二輪車１０は、車体前部に前輪１１、フロントフォーク１２、トップブリッジ１３、ハンドル１４、メータ１５、カウリング１６及びカウリング１６に一体的に取付けたスクリーン１７を備え、車体中央に燃料タンク１８及びドライバシート１９を備え、車体後部にスイングアーム２１、後輪２２、サイレンサー２３、リヤカウル２４及びパッセンジャシート２５を備えた普通の自動二輪車であり、これに動作表示灯３１及び車両部品３２からなる盗難防止装置の動作表示手段３０を加えたことを特徴とする。
【００１９】
図２（ａ），（ｂ）は本発明に係る盗難防止装置の動作表示手段の具体的構成例図（その１）である。
（ａ）に示す通り、盗難防止装置の動作表示手段３０は、メータ１５に組込んだ動作表示灯３１と、右のハンドル１４にブラケット３４を介して取付けた車両部品としてのリザーバタンク３５と、からなる。ここでのリバーバタンク３５は樹脂製半透明（乳白色）の容器にフロントブレーキ用作動油を蓄えるタンクである。なお、動作表示灯３１はメータ１５を支えるメータユニットケース３３に設けてもよい。
【００２０】
（ｂ）はハンドル１４をハンドルロック位置まで左に切った状態を示す。トップブリッジ１３は左に大きく振れた状態になる。この状態で、動作表示灯３１を点滅させると、その光線３６がリザーバタンク３５に当る。すなわち、光線３６が当るように、動作表示灯３１とリザーバタンク３５との相互位置を決めた。
【００２１】
以上の説明をまとめると、車両部品３２は、自動二輪車のフロントブレーキ用作動油を透明若しくは半透明の容器に溜めるリザーバタンク３５であり且つハンドル１４に取付けることで、ハンドルロック時に動作表示灯３１が発射した光線３６上に位置させるリザーバタンク３５である。
【００２２】
図３は図２の作動説明図であり、メータ１５は、当然のことながらドライバが見易い位置や向きに設けられる。その様なメータ１５に動作表示灯３１を設ければ、動作表示灯３１が点滅していることは、ドライバの目３７で容易に確認することができる。すなわち、ドライバは車両を離れる前に、自動二輪車をロック状態にし且つ盗難防止装置を動作状態にするが、この盗難防止装置のセット完了はシートに座ったままで動作表示灯３１を見ることで確認することができる。
【００２３】
一方、動作表示灯３１が発射する光線３６はリザーバタンク３５に至る。リザーバタンク３５は透明若しくは半透明の容器で構成したため、この容器が入光を拡散光３８Ａに換える。この結果、車両部品としてのリザーバタンク３５は行灯（あんどん）の様に鈍く光る。図１に示す通りに、リザーバタンク３５はトップブリッジ１３より上位にあるため、周囲から見やすい位置にあり、リザーバタンク３５が行灯（あんどん）の様に鈍く光る様子を何処からでも容易に視認することができる。
【００２４】
加えて、メータ１５へはメータ照明や各種の情報を送るための複数本のハーネスが制御部から延びている。これらのハーネスに動作表示灯３１のためのハーネスを加えることは極めて容易である。すなわち、動作表示灯３１をメータ１５若しくはその近傍に設けたので、動作表示灯３１のためのハーネスの付設が容易となり、そのためのコストを抑えることができる。
【００２５】
本発明の別実施例を図４〜図６で説明する。
図４は本発明に係る盗難防止装置の動作表示手段の具体的構成例図（その２）であり、盗難防止装置の動作表示手段３０は、メータ１５に組込んだ動作表示灯３１と、メータ１５の前に立てたスクリーン１７と、からなる。スクリーン１７はメータバイザーであってもよい。
【００２６】
動作表示灯３１が発射した光線３６の一部がスクリーン１７内に入る。スクリーン１７を構成する樹脂（ポリカーボネートやアクリル）は周囲の空気より屈折率が大きい。そのためスクリーン１７内に進入した光のうちで表面の微細な凹凸等の影響を受けた分は、スクリーン１７の表面で臨界角以上となり外へ出ることは出来ず、そのままスクリーン１７内で反射を繰り返す。そして、図の様にジグザグに進みエッジ３９に至り、エッジ３９を鈍く光らせる。これが拡散光３８Ｂとなる。動作表示灯３１は点滅するため、スクリーン１７の上縁が鈍く点滅するため、この点滅に伴なう拡散光３８Ｂを周囲から容易に視認することができる。なお、エッジ３９を図の様に丸めることで、拡散作用を促すことができ、好ましい。
【００２７】
図５は本発明に係る盗難防止装置の動作表示手段の具体的構成例図（その３）であり、盗難防止装置の動作表示手段３０は、メータ１５に組込んだ動作表示灯３１と、不透明なリザーバタンク４１の前面（スクリーン１７に向う面）に形成した反射面４２と、スクリーン１７とからなる。
動作表示灯３１が発射した光線３６は反射面４２で反射してのちにスクリーン１７に至る。後は、図４で説明したのと同様にスクリーン１７内を進み、エッジ３９を光らせる。このときに、エッジ３９での拡散光３８Ｂの他に、光線３６を最初に受けた部位での拡散光３８Ｃも発生する。
【００２８】
不透明なリザーバタンク４１はアルミニウムダイカスト製のリザーバタンクが好適である。アルミニウムは反射率が高いので、反射面４２だけ無塗装にすればよい。
【００２９】
図４では動作表示灯３１とスクリーン１７の相関位置や相対角度が重要となり、スクリーン１７の位置や角度を自由に設定することはできない。この点、図５では反射面４２を介在させることで、動作表示灯３１やスクリーン１７をかなり自由に且つ互いに独立して設定できるようになった。
【００３０】
図６は本発明に係る盗難防止装置の動作表示手段の具体的構成例図（その４）であり、盗難防止装置の動作表示手段３０は、メータ１５に組込んだ動作表示灯３１と、透明若しくは半透明のリザーバタンク３５と、スクリーン１７とからなる。
動作表示灯３１から発射した光線３６で透明なリザーバタンク３５を行灯の様に点滅させることは、図３で説明した通りである。それに加えて、リザーバタンク３５を光源として近傍のスクリーン１７を二次的に光らせる。
スクリーン１７での拡散光３８Ｃは前方からの視認に適し、リザーバタンク３５の拡散光３８Ａは後方及び側方からの視認に適する。
【００３１】
尚、動作表示灯３１は発光ダイオード（ＬＥＤ）が、小型軽量で省費電力も少ないうえ、他の光学レンズを付加せずとも比較的強い指向性の主光軸を形成するため好適であるが、その他のランプ（白熱灯など）であってもよい。
【００３２】
また、リザーブタンクは、図２では右ハンドルに取付ける例で説明したが、操作レバーの近傍であれば、トップブリッジ１３に取付けてもよい。更に、液圧操作クラッチを採用した車両であれば、左ハンドルのクラッチレバーに対応させて左ハンドル或いは左ハンドル近傍にクラッチ液リザーブタンクを設けてもよい。この場合はハンドルの向きによって、ハンドルを左に切った状態でブレーキ液リザーブタンクを、ハンドルを右に切った状態でクラッチ液リザーブタンクを、それぞれ光らせることができる。
【００３３】
さらには、請求項１、３、４にあっては、本発明の動作表示手段は、自動二輪車、通常の自転車、三輪車、四輪車、その他の車両に搭載することができる。
【００３４】
また、請求項４での反射面は、不透明なリザーバタンクの他、リザーバタンクを支えるブラケット、このブラケットを支えるハンドルバーやトップブリッジ、ハンドルバーやトップブリッジに付設した金属片などに形成したミラーであってもよい。
【００３５】
【発明の効果】
本発明は上記構成により次の効果を発揮する。
請求項１では、盗難防止装置の動作表示手段は、動作表示灯と、この動作表示灯が発射する光線を受けて拡散光に変換する機能を有し且つ周囲から見易い所に設けた車両部品と、からなることを特徴とする。
【００３６】
動作表示灯をメータに設けたので、動作表示灯をドライバーはシートに座ったままで容易に且つ確実に視認することができる。メータにはメータ照明や各種の情報を送るための複数本のハーネスが制御部から延びている。これらのハーネスに動作表示灯のためのハーネスを加えることは極めて容易である。すなわち、動作表示灯をメータ若しくはその近傍に設けたので、動作表示灯のためのハーネスの付設が容易となり、そのためのコストを抑えることができる。
【００３７】
そして、動作表示灯が発射する光線を車両部品へ発射し、車両部品で拡散光に変換するようにした。この結果、車両部品は行灯（あんどん）の様に鈍く光る。
当該車両部品を、ハンドルを支えるトップブリッジより上位など周囲から見やすい位置に配置すれば、表示灯の光量を上げることなく、且つ専用の拡散部品を使うことなく、この車両部品を何処からでも容易に視認することができる。
従って、請求項１によれば外部から十分に見ることができ、ドライバも容易に視認することができ、且つハーネスの付設が楽な盗難防止装置の動作表示手段を提供することができる。
【００３８】
請求項２では、車両部品は、既存のリザーバタンクを流用する。透明若しくは半透明のリザーバタンクは入光を拡散させる作用に富む。また、ハンドルロックが完了したときにのみリザーバタンクが光るようにした。
請求項２によればハンドルロックが完了していることをも確認できる。
【００３９】
請求項３では、車両部品は、メータの前を囲う透明なメータバイザー若しくはスクリーンであることを特徴とする。自動二輪車では、メータの前を透明なメータバイザーで囲ったものやメータの前方にスクリーンを備えたものがある。メータバイザーへ動作表示灯が発射する光線を照射すれば、光の一部がメータバイザー若しくはスクリーン内をジグザグに反射しながらエッジに向う。この結果、メータバイザー若しくはスクリーンのエッジを鈍く光らせることができる。
【００４０】
請求項４では、盗難防止装置が動作中であるときに点滅し、且つメータに設けた動作表示灯と、この動作表示灯が発射する光線を反射させる反射面を備え、周囲から見やすいところに設けた車両部品とからなることを特徴とする。
【００４１】
請求項５では、車両部品は、自動二輪車のハンドル或いはハンドル近傍に取り付けたフロントブレーキ用作動油を溜めるリザーバタンクであり、リザーバタンクに設けた反射面をハンドルロック時に動作表示灯が発射した光線上に位置させたことを特徴とする。
反射面を、既存のリザーバタンクで形成でき、コスト安でコンパクトとなる。加えて、ハンドルロックが完了していることも確認することができる。
請求項６では、反射面は金属ブラケットであることを特徴とする。
請求項７では、前記ハンドル前方にスクリーンを設け、反射光をスクリーンに向けて反射させたことを特徴とする。
【図面の簡単な説明】
【図１】本発明に係る盗難防止装置の動作表示手段を備えた自動二輪車の斜視図
【図２】本発明に係る盗難防止装置の動作表示手段の具体的構成例図（その１）
【図３】図２の作動説明図
【図４】本発明に係る盗難防止装置の動作表示手段の具体的構成例図（その２）
【図５】本発明に係る盗難防止装置の動作表示手段の具体的構成例図（その３）
【図６】本発明に係る盗難防止装置の動作表示手段の具体的構成例図（その４）
【符号の説明】
１０…自動二輪車、１４…ハンドル、１５…メータ、１７…スクリーン、３０…盗難防止装置の動作表示手段、３１…動作表示灯、３２…車両部品、３５…透明なリザーバタンク、３６…動作表示灯からの光線、３８Ａ，３８Ｂ，３８Ｃ…拡散光、４１…不透明なリザーバタンク、４２…反射面。
【図１】
0004462596.tif 000002
【図２】
0004462596.tif 000003
【図３】
0004462596.tif 000004
【図４】
0004462596.tif 000005
【図５】
0004462596.tif 000006
【図６】
0004462596.tif 000007